(57)【要約】【課題】格納部材の数が多くなったり、格納部材が大型化したりしても、発行処理時間が長くなるのを抑制することができるようにする。【解決手段】通帳を格納する複数の格納部材と、該各格納部材に格納された通帳を繰り出す繰出機構２０〜２３と、該繰出機構２０〜２３によって繰り出された通帳を一時的に蓄える蓄積部と、該蓄積部から送り出された通帳に対して所定の処理を行う通帳処理部とを有する。この場合、あらかじめ蓄積部に蓄えられ、蓄積部から送り出された通帳に対して所定の処理が行われるので、格納部材の数が多くなったり、各通帳部材が大型化したりしても、発行処理時間が長くなるのを抑制することができる。その結果、金融機関におけるサービスを向上させることができる。【選択図】          図１
2004199297.tif 000002
【特許請求の範囲】
【請求項１】
（ａ）通帳を格納する複数の格納部材と、
（ｂ）該各格納部材に格納された通帳を繰り出す繰出機構と、
（ｃ）該繰出機構によって繰り出された通帳を一時的に蓄える蓄積部と、
（ｄ）該蓄積部から送り出された通帳に対して所定の処理を行う通帳処理部とを有することを特徴とする通帳発行装置。
【請求項２】
前記蓄積部は、各格納部材に対応させて配設される請求項１に記載の通帳発行装置。
【請求項３】
前記蓄積部は、所定の格納部材に対応させて配設される請求項１に記載の通帳発行装置。
【請求項４】
前記所定の格納部材には、取引量が多い種類の通帳が格納される請求項３に記載の通帳発行装置。
【請求項５】
格納部材に格納された通帳を繰り出し、繰出機構によって繰り出された通帳を一時的に蓄え、蓄積部から送り出された通帳に対して所定の処理を行うことを特徴とする通帳発行方法。
【発明の詳細な説明】
【０００１】
【発明の属する技術分野】
本発明は、通帳発行装置及び通帳発行方法に関するものである。
【０００２】
【従来の技術】
従来、金融機関等に配設され、通帳発行機能を有する自動取引装置（以下「通帳発行装置」という。）においては、格納部材としての通帳カセットから繰り出された通帳に対して、通帳記帳ユニットによって印字等の所定の処理が行われて通帳が新規に発行されるようになっている（例えば、特許文献１参照。）。
【０００３】
図２は従来の通帳発行装置の概略図である。
【０００４】
図において、１１は通帳発行装置であり、該通帳発行装置１１は、図示されない各通帳に対して印字等の所定の処理を行う通帳記帳ユニット１２、及び大容量の通帳格納ユニット１５を備え、該通帳格納ユニット１５に４個の通帳カセットｋ１〜ｋ４が実装され、該各通帳カセットｋ１〜ｋ４にそれぞれ所定の種類の通帳が格納される。したがって、前記通帳格納ユニット１５において、４種類の通帳を扱うことができる。
【０００５】
前記各通帳カセットｋ１〜ｋ４に対応させて繰出機構２０〜２３が配設され、通帳発行装置１１に対して図示されない上位装置から発行指示が送られると、通帳発行装置１１の図示されない制御部は、各繰出機構２０〜２３のうちの所定のの繰出機構を作動させて通帳を通帳格納ユニット１５内の搬送路２４に繰り出し、通帳記帳ユニット１２に送る。該通帳記帳ユニット１２は、搬送路１４を介して通帳を受け取り、搬送路１３を介して搬送し、その間に通帳に対して所定の処理を行い、新規に通帳を発行する。
【０００６】
【特許文献１】
特開平１０−１０９４５１号公報
【０００７】
【発明が解決しようとする課題】
しかしながら、前記従来の通帳発行装置においては、通帳の種類が多くなるのに伴って、通帳カセットの数が多くなったり、各通帳カセットｋ１〜ｋ４に収容される通帳の数が多くなるのに伴って、各通帳カセットｋ１〜ｋ４が大型化したりすると、搬送路２４がその分長くなるので、発行指示が送られてから、所定の通帳カセットから通帳が搬送路２４に繰り出され、その後、搬送路１４及び搬送路１３を搬送されて発行されるまでの発行処理時間が長くなってしまう。
【０００８】
その結果、金融機関におけるサービスが低下してしまう。
【０００９】
本発明は、前記従来の通帳発行装置の問題点を解決して、格納部材の数が多くなったり、格納部材が大型化したりしても、発行処理時間が長くなるのを抑制することができる通帳発行装置及び通帳発行方法を提供することを目的とする。
【００１０】
【課題を解決するための手段】
そのために、本発明の通帳発行装置においては、通帳を格納する複数の格納部材と、該各格納部材に格納された通帳を繰り出す繰出機構と、該繰出機構によって繰り出された通帳を一時的に蓄える蓄積部と、該蓄積部から送り出された通帳に対して所定の処理を行う通帳処理部とを有する。
【００１１】
【発明の実施の形態】
以下、本発明の実施の形態について図面を参照しながら詳細に説明する。
【００１２】
図１は本発明の第１の実施の形態における通帳発行装置の概略図である。
【００１３】
図において、３１は通帳発行装置であり、該通帳発行装置３１は、図示されない媒体としての通帳に対して印字等の所定の処理を行う通帳処理部としての通帳記帳ユニット３２、及び大容量の通帳格納部としての通帳格納ユニット１５を備え、該通帳格納ユニット１５に複数、本実施の形態においては、４個の格納部材としての通帳カセットｋ１〜ｋ４が実装され、各通帳カセットｋ１〜ｋ４にそれぞれ所定の種類の通帳が格納される。したがって、前記通帳格納ユニット１５によって、最大４種類までの通帳を扱うことができる。
【００１４】
前記各通帳カセットｋ１〜ｋ４に対応させて繰出機構２０〜２３が配設され、各繰出機構２０〜２３に繰出用の駆動部として図示されない繰出用モータが配設される。通帳発行装置３１の図示されない制御部は、各繰出用モータのうちの所定の繰出用モータを駆動し、繰出機構２０〜２３のうちの所定の繰出機構を作動させて通帳を通帳格納ユニット１５内の搬送路２４に繰り出し、通帳記帳ユニット３２に送る。
【００１５】
該通帳記帳ユニット３２は、通帳格納ユニット１５から送られた通帳を受けた後、一時的に蓄えるために、通帳蓄積装置としての通帳スタッカユニット３３を備える。該通帳スタッカユニット３３は、各通帳カセットｋ１〜ｋ４に対応させて、各蓄積部としての通帳スタッカｓ１〜ｓ４を備え、通帳カセットｋ１から繰り出された通帳が通帳スタッカｓ１に、通帳カセットｋ２から繰り出された通帳が通帳スタッカｓ２に、通帳カセットｋ３から繰り出された通帳が通帳スタッカｓ３に、通帳カセットｋ４から繰り出された通帳が通帳スタッカｓ４に一時的に蓄えられる。
【００１６】
そのために、前記通帳スタッカユニット３３は、前記搬送路２４に臨ませて、矢印Ａ方向において移動自在に配設され、蓄積用の駆動部としての図示されない蓄積用モータを駆動し、移動機構３４を作動させることによって、矢印Ａ方向に移動させ、前記通帳スタッカｓ１〜ｓ４のうちの所定の通帳スタッカを前記搬送路２４と対応させることができるようになっている。
【００１７】
また、通帳記帳ユニット３２には、通帳スタッカユニット３３に一時的に蓄えられた通帳に対して所定の処理を行うことができるように、通帳スタッカユニット３３と隣接させて搬送路１４が配設され、該搬送路１４と接続させて搬送路１３が配設され、該搬送路１３に沿って図示されない発行部が配設される。なお、前記搬送路１３は通帳発行装置３１の前面（図において左面）において挿入口２８として開口する。なお、該挿入口２８は排出口も兼ねる。
【００１８】
そして、前記通帳スタッカユニット３３が矢印Ａ方向に移動させられるのに伴って、通帳スタッカｓ１〜ｓ４のうちの所定の通帳スタッカ（本実施の形態においては、前記搬送路２４と対応させられる通帳スタッカ）が搬送路１４と対応させられ、通帳スタッカに蓄えられた通帳が搬送路１４に送り出される。そして、搬送路１４に送り出された通帳は、搬送路１３に送り出され、該搬送路１３を搬送される間に、前記発行部によって所定の処理が行われる。そのために、前記各通帳スタッカｓ１〜ｓ４に対応させて送出し用の駆動部としての図示されない送出し用モータ及び図示されない送出し機構が配設される。
【００１９】
次に、前記構成の通帳発行装置３１において新規に通帳を発行する際の動作について説明する。
【００２０】
まず、前記制御部の通帳補充処理手段は、通帳補充処理を行い、通帳発行装置３１において何ら処理が行われないアイドル中であるか、又は通帳記帳ユニット３２内において印字等の通帳発行処理以外の他の処理が行われている場合に、前記蓄積用モータを駆動し、移動機構３４を作動させて、通帳スタッカｓ１〜ｓ４のうちの通帳が蓄えられていない通帳スタッカを搬送路２４に臨ませる。続いて、前記通帳補充処理手段は、各繰出機構２０〜２３のうちの通帳が蓄えられていない通帳スタッカに対応する繰出機構の繰出用モータを駆動し、繰出機構を作動させ、各通帳カセットｋ１〜ｋ４のうちの前記繰出機構に対応する通帳カセットから通帳を搬送路２４に繰り出し、通帳記帳ユニット３２に送る。
【００２１】
該通帳記帳ユニット３２は、通帳格納ユニット１５から送られた通帳を受け、該通帳を前記通帳スタッカに一時的に蓄える。このようにして、通帳を通帳スタッカユニット３３に補充することができる。なお、通帳スタッカｓ１〜ｓ４のうちのいずれの通帳スタッカにも通帳が蓄えられていない場合には、各通帳スタッカｓ１〜ｓ４に各通帳カセットｋ１〜ｋ４の通帳が１冊ずつ蓄えられる。
【００２２】
このようにして、各通帳スタッカｓ１〜ｓ４に通帳が蓄えられると、前記制御部の通帳発行処理手段は、通帳発行処理を行い、図示されない上位装置（例えば、ホストコンピュータ）から発行指示が送られるのを待機し、発行指示が送られると、通帳発行処理手段の通帳判定処理手段は、通帳判定処理を行い、通帳の種類を判定する。続いて、前記通帳発行処理手段は、判定された通帳の種類に基づいて、通帳スタッカｓ１〜ｓ４のうちの所定の通帳スタッカを搬送路１４に臨ませ、前記通帳スタッカに対応する送出し用モータを駆動し、送出し機構を作動させて通帳を搬送路１４に送り出す。続いて、前記通帳発行処理手段は、通帳を搬送路１３に送り、発行部を作動させて搬送路１３を搬送される通帳に対して所定の処理を行う。
【００２３】
そして、通帳が発行され、空になった通帳スタッカに、新たな通帳が蓄えられる。
【００２４】
このように、本実施の形態においては、通帳を発行する際に、所定の通帳スタッカから送り出された通帳に対して所定の処理が行われるので、通帳の種類が多くなるのに伴って、通帳カセットの数が多くなったり、各通帳カセットｋ１〜ｋ４に収容される通帳の数が多くなるのに伴って、各通帳カセットｋ１〜ｋ４が大型化したりして、搬送路２４がその分長くなっても、発行指示が送られてから、所定の通帳スタッカから通帳が搬送路１４に送り出され、その後、搬送路１３を搬送されて発行されるまでの発行処理時間が長くなるのを抑制することができる。
【００２５】
その結果、金融機関におけるサービスを向上させることができる。
【００２６】
次に、特定の種類の通帳の発行頻度が、他の種類の通帳の発行頻度より高い場合に、前記特定の種類の通帳の発行処理時間が長くなるのを抑制することができるようにした本発明の第２の実施の形態について説明する。
【００２７】
図３は本発明の第２の実施の形態における通帳発行装置の概略図、図４は本発明の第２の実施の形態における通帳スタッカの動作を示す図、図５は本発明の第２の実施の形態における通過部の動作を示す図である。
【００２８】
この場合、通帳発行装置４１は、通帳格納部としての通帳格納ユニット１５及び通帳処理部としての通帳記帳ユニット４２を備え、該通帳記帳ユニット４２内において搬送路１４が、第１、第２の分岐路６１、６２に分岐させられ、前記第１の分岐路６１に、通帳を一時的に蓄える蓄積部としての通帳スタッカｓ５が配設され、第２の分岐路６２に、通帳をバイパスして通過させる通過部６３が配設される。
【００２９】
前記搬送路１４を第１、第２の分岐路６１、６２に分岐させる分岐部分には、搬送路１４を搬送される通帳を第１、第２の分岐路６１、６２に選択的に送るための搬送路切替装置４３が配設される。該搬送路切替装置４３は、図４の矢印Ｂ方向に揺動自在に配設された切替ブレード４５を備える。
【００３０】
前記通帳スタッカｓ５に対応させて送出し用の駆動部としての図示されない第１の送出し用モータ、及び第１の送出し機構４６が配設される。該第１の送出し機構４６は、前記第１の送出し用モータと連結された駆動側の回転体としての搬送ローラ対Ｒ１、通帳の搬送方向における前記搬送ローラ対Ｒ１より下流側に配設された従動側の回転体としての搬送ローラ対Ｒ２、前記搬送ローラ対Ｒ１の回転を搬送ローラ対Ｒ２に伝達し、搬送ローラ対Ｒ１、Ｒ２を同期させて回転させるための伝動部材としてのベルト６５を備える。なお、図４において、４８は前記通帳スタッカｓ５内において第１の送出し機構４６によって保持された通帳である。
【００３１】
また、通過部６３に対応させて通過用の駆動部としての図示されない第２の送出し用モータ、及び第２の送出し機構４７が配設される。該第２の送出し機構４７は、前記第２の送出し用モータと連結された駆動側の回転体としての搬送ローラ対Ｒ３、通帳の搬送方向における前記搬送ローラ対Ｒ３より下流側に配設された従動側の回転体としての搬送ローラ対Ｒ４、前記搬送ローラ対Ｒ３の回転を搬送ローラ対Ｒ４に伝達し、搬送ローラ対Ｒ３、Ｒ４を同期させて回転させるための伝動部材としてのベルト６７を備える。なお、図５において、４９は前記通過部６３において第２の送出し機構４７によって保持された通帳である。
【００３２】
次に、前記構成の通帳発行装置３１において新規に通帳を発行する際の動作について説明する。
【００３３】
まず、通帳発行装置３１の図示されない制御部の通帳補充処理手段は、通帳補充処理を行い、通帳発行装置３１において何ら処理が行われないアイドル中であるか、又は通帳記帳ユニット３２内において印字等の通帳発行処理以外の他の処理が行われている場合に、各繰出機構２０〜２３のうちのあらかじめ特定された所定の繰出機構の繰出用モータを駆動し、繰出機構を作動させ、格納部材としての各通帳カセットｋ１〜ｋ４のうちの前記繰出機構に対応する通帳カセットから通帳を搬送路２４に繰り出し、通帳記帳ユニット３２に送る。
【００３４】
該通帳記帳ユニット３２は、図４に示されるように、通帳格納ユニット１５から送られた通帳４８を受け、該通帳４８を前記通帳スタッカｓ５に一時的に蓄える。そのために、前記通帳補充処理手段は、前記切替ブレード４５を切り替えるとともに、第１の送出しモータを所定の時間だけ駆動し、前記第１の送出し機構４６を作動させて、通帳スタッカｓ５内において通帳４８を保持する。このようにして、通帳４８を通帳スタッカｓ５に補充することができる。
【００３５】
ところで、前記通帳スタッカｓ５に補充される通帳は、取引量が最も多く、発行頻度が最も高い種類の通帳にされる。そのために、図示されない上位装置において、各種類の通帳の過去の取引量がカウントされ、最も取引量の多い種類の通帳があらかじめ前記特定の通帳として選択される。
【００３６】
そして、特定の通帳については、通帳スタッカｓ５に補充されるので、各通帳カセットｋ１〜ｋ４のうちのどの通帳カセットに収容されても、発行処理時間は短く、一定の値を採る。そこで、通帳記帳ユニット４２から最も離れた通帳カセットｋ４に特定の通帳を収容するのが好ましい。
【００３７】
そして、前記制御部の通帳発行処理手段は、通帳発行処理を行い、前記上位装置から発行指示が送られるのを待機し、発行指示が送られると、通帳発行処理手段の通帳判定処理手段は、通帳判定処理を行い、通帳の種類を判定し、特定の通帳が発行されるかどうかを判断し、特定の通帳が発行される場合、前記通帳発行処理手段は、前記第１の送出し用モータを駆動し、第１の送出し機構４６を作動させて特定の通帳を搬送路１４における通帳スタッカｓ５より下流部分に送り出す。
【００３８】
続いて、前記通帳発行処理手段は、通帳を搬送路１３に送り、通帳記帳ユニット４２の図示されない発行部を作動させて搬送路１３を搬送される通帳に対して所定の処理を行い、通帳を発行する。
【００３９】
一方、特定の通帳以外の通帳が発行される場合、前記通帳発行処理手段は、通帳の種類に対応させて、各繰出機構２０〜２２のうちのあらかじめ設定された所定の繰出機構の繰出用モータを駆動し、繰出機構を作動させ、各通帳カセットｋ１〜ｋ３のうちの前記繰出機構に対応する通帳カセットから通帳を搬送路２４に繰り出し、通帳記帳ユニット３２に送る。
【００４０】
また、前記通帳発行処理手段は、図５に示されるように、切替ブレード４５を切り替えるとともに、前記第２の送出し用モータを駆動し、第２の送出し機構４７を作動させて特定の通帳以外の通帳４９を搬送路１４における通過部６３より下流部分に送り出す。
【００４１】
続いて、前記通帳発行処理手段は、通帳４９を搬送路１３に送り、前記発行部を作動させて搬送路１３を搬送される通帳４９に対して所定の処理を行う。
【００４２】
このように、本実施の形態においては、あらかじめ選択された種類の特定の通帳を発行する際に、通帳スタッカｓ５から送り出された通帳に対して所定の処理が行われるので、通帳の種類が多くなるのに伴って、通帳カセットの数が多くなったり、各通帳カセットｋ１〜ｋ４に収容される通帳の数が多くなるのに伴って、各通帳カセットｋ１〜ｋ４が大型化したりして、搬送路２４がその分長くなっても、特定の通帳については、発行指示が送られてから、通帳スタッカｓ５から通帳が搬送路１４に送り出され、その後、搬送路１３を搬送されて発行されるまでの発行処理時間が長くなるのを抑制することができる。
【００４３】
その結果、金融機関におけるサービスを向上させることができる。
【００４４】
また、前記第１の実施の形態に比べ、一つの通帳スタッカｓ５を配設するだけでよいので、通帳発行装置４１の機構を簡素化することができるだけでなく、通帳発行装置４１を小型化することができる。
【００４５】
ところで、前記各実施の形態において、通帳発行装置３１、４１は、通帳取扱装置に内蔵され、通帳取扱装置としても機能する。また、前記通帳発行装置３１、４１における前面において、前述されたように前記搬送路１３は通帳の挿入口２８として開口させられる。
【００４６】
そこで、顧客が既に発行された通帳を前記挿入口２８に挿入し、所定の取引を行うと、前記上位装置は、挿入口２８に挿入された通帳の内容を調べ、新しい通帳を発行する必要があるかどうかを判断するようになっている。
【００４７】
次に、前記構成の通帳発行装置３１、４１において、新しい通帳を発行する必要があるかどうかを判断するための動作について説明する。
【００４８】
そのために、前記通帳発行装置３１、４１の制御部の印字情報取得処理手段は、印字情報取得処理を行い、挿入口２８に挿入された通帳の磁気ストライプに記録された磁気データを読み取り、該磁気データに基づいて通帳の種類を取得するとともに、挿入口２８に挿入された通帳のページマーク及び印字の有無を検出し、現在の印字済ページ及び印字済行を取得し、前記通帳の種類、印字済ページ及び印字済行を印字情報として上位装置に通知する。
【００４９】
そして、該上位装置の通帳発行要否判断処理手段は、通帳発行要否判断処理を行い、通知された印字情報に基づいて、通帳の残りの印字可能行を算出する。前記通帳発行要否判断処理手段は、挿入された通帳に対してこれから印字を行う必要がある印字データの印字行の数（以下「印字残行数」という。）と算出された印字可能行の数（以下「印字可能行数」という。）とを比較し、印字残行数が印字可能行数より多い場合は、新しい通帳を発行する必要があると判断し、通帳発行装置３１、４１に発行指示を送る。このとき、発行する通帳の種類は、挿入された通帳の種類に対応させる。
【００５０】
次に、通帳発行処理の動作について説明する。
【００５１】
まず、通帳記帳ユニット３２、４２においては、挿入口２８に挿入された通帳が搬送路１３を搬送され、その間に、印字等の所定の処理が行われるが、新しい通帳を発行する必要があると判断されて上位装置から通帳発行装置３１、４１に発行指示が送られると、挿入口２８に挿入された通帳に対して所定の処理が行われるのと平行して、前記通帳発行処理手段は、通帳発行処理を行う。
【００５２】
したがって、通帳発行装置３１、４１の装置全体としての処理時間が長くなるのを抑制することができる。
【００５３】
なお、本発明は前記実施の形態に限定されるものではなく、本発明の趣旨に基づいて種々変形させることが可能であり、それらを本発明の範囲から排除するものではない。
【００５４】
【発明の効果】
以上詳細に説明したように、本発明によれば、通帳発行装置においては、通帳を格納する複数の格納部材と、該各格納部材に格納された通帳を繰り出す繰出機構と、該繰出機構によって繰り出された通帳を一時的に蓄える蓄積部と、該蓄積部から送り出された通帳に対して所定の処理を行う通帳処理部とを有する。
【００５５】
この場合、あらかじめ蓄積部に蓄えられ、蓄積部から送り出された通帳に対して所定の処理が行われるので、通帳の種類が多くなるのに伴って、格納部材の数が多くなったり、各格納部材に収容される通帳の数が多くなるのに伴って、各通帳部材が大型化したりしても、発行指示が送られてから、蓄積部から通帳が送り出され、通帳が発行されるまでの発行処理時間が長くなるのを抑制することができる。
【００５６】
その結果、金融機関におけるサービスを向上させることができる。
【図面の簡単な説明】
【図１】本発明の第１の実施の形態における通帳発行装置の概略図である。
【図２】従来の通帳発行装置の概略図である。
【図３】本発明の第２の実施の形態における通帳発行装置の概略図である。
【図４】本発明の第２の実施の形態における通帳スタッカの動作を示す図である。
【図５】本発明の第２の実施の形態における通過部の動作を示す図である。
【符号の説明】
２０〜２３    繰出機構
３１、４１    通帳発行装置
３２、４２    通帳記帳ユニット
ｋ１〜ｋ４    通帳カセット
ｓ１〜ｓ５    通帳スタッカ
【図１】
2004199297.tif 000003
【図２】
2004199297.tif 000004
【図３】
2004199297.tif 000005
【図４】
2004199297.tif 000006
【図５】
2004199297.tif 000007